(57)【特許請求の範囲】
【請求項１】
外部ネットワークの加入者端末装置（１１）と内部ネットワーク（１２）との間における通信のためのインターフェースおよびスイッチングデバイスであって、
いくつかの物理的エンティティ（１５，１６，１７；Ｅｉ）が、内部ネットワーク（１２）に接続され、
前記デバイスは、
−  第１インターフェースモジュール（３１）と、
−  第２インターフェースモジュール（３８）と、
−  処理モジュール（３７）と、
−  いくつかの検出モジュール（３２，３３，３４，３５，３６）と、
−  モジュール（３９）と、
−  入力−出力バッファ回路（４４）と
を具備し、
前記第１インターフェースモジュール（３１）は、デジタルデータまたはアナログ信号の送信および受信のためのものであり、
前記第１インターフェースモジュール（３１）は、前記端末装置（１１）に接続され、
前記第２インターフェースモジュール（３８）は、デジタルデータまたはアナログ信号の送信および受信のためのものであり、
前記第２インターフェースモジュール（３８）は、内部ネットワーク（１２）に接続され、
前記処理モジュール（３７）は、少なくとも１つのメモリモジュール（４０，４１）に接続され、
前記処理モジュール（３７）は、前記デバイスの全体動作を管理し、その結果、外部ネットワークおよび内部ネットワークが利用可能であるか否かを監視することによって、前記加入者端末装置（１１）に主機能を提供し、
通信確立のための要求および認証は、前記外部ネットワークおよび前記内部ネットワークを介して、交換されることができ、
物理的エンティティ（１５，１６，１７）は、この処理モジュール（３７）からの認証によってのみ、
・  外部ネットワークへ直接に、
・  または、この処理モジュール（３７）を介して、
接続され、
この接続は、この処理モジュール（３７）による前記物理エンティティの接続に関する優先度の管理の後に発生し、
・  モジュール（３５）は、呼待機指示検出機能を実現し、
前記検出モジュール（３２，３３，３４，３５，３６）は、それぞれ、外部ネットワーク上の前記エンティティの内の１つの通信を検出する機能を提供し、
・  第１モジュール（３２）は、ラインビジー検出機能を提供し、
・  第２モジュール（３３）は、並列ハンドセットオフフック検出の機能を提供し、
・  第３モジュール（３４）は、ビジートーン検出の機能を提供し、
検出モジュールは、処理モジュール（３７）と通信しかつデータ交換し、
前記モジュール（３９）は、第２送信−受信インターフェースモジュール（３８）に関連する内部ネットワーク上のプロトコルを管理するためのものであり、
処理モジュール（３７）は、このモジュール（３９）と通信するために、入力−出力ポートを介して、データ交換バス（４３）に接続され、
前記入力−出力バッファ回路（４４）は、マン−マシンインターフェースモジュール（１４）の接続を可能とするために、処理モジュール（３７）に接続される
ことを特徴とするデバイス。
【請求項２】
モジュール（３６）を具備し、
前記モジュール（３６）は、モデム機能を実現し、
前記モジュール（３６）は、第１インターフェースモジュール（３１）と第４検出モジュール（３５）と処理モジュール（３７）とに接続され、
前記モジュール（３６）は、注目すべきことに、到来呼上のＶ２３情報をデコードし、必要ならば、即座にオフフックし、その結果、物理的エンティティ（１５，１６，１７）の内の１つへの適切な切替を開始することを可能にする
ことを特徴とする請求項１記載のデバイス。
【請求項３】
処理モジュール（３７）は、少なくとも１つのプログラムメモリモジュール（４０）と少なくとも１つのランダムアクセスモジュール（４１）とに接続され、
前記モジュール（４０）と前記モジュール（４１）とは、内部ネットワークに特有の情報および／または外部ネットワークに特有の情報を記憶することを可能にし、
これらの情報は、注目すべきことに、外部ネットワークを介して、前記モジュール（４１）にダウンロードおよびアップデートされる
ことを特徴とする請求項１記載のデバイス。
【請求項４】
内部ネットワーク上のプロトコルを管理するためのモジュール（３９）は、内部ネットワークから発する様々な要求を、所定の優先度に従って管理することを可能にする
ことを特徴とする請求項１記載のデバイス。
【請求項５】
外部ネットワークから発する到来呼と外側への通信を確立するための要求との間における衝突を回避するためのソフトウェア手段または物理的手段を具備する
ことを特徴とする請求項１記載のデバイス。
【請求項６】
自己動力を有すること、または、遠隔で電力供給されること、または、内部ネットワーク内の他のエンティティを介して電力を供給されることを可能にする手段を具備する
ことを特徴とする請求項１記載のデバイス。
【請求項７】
取り付けられたまたは取り外されたマン−マシンインターフェースを介して、構成されかつ監視されることを可能にする手段を具備する
ことを特徴とする請求項１記載のデバイス。
【請求項８】
外部ネットワークは交換電話網である
ことを特徴とする請求項１記載のデバイス。
【請求項９】
外部ネットワークは、総合デジタル通信網またはＡＴＭネットワークまたはｘＤＳＬネットワークまたはＧＳＭネットワークまたはＤＥＣＴネットワークまたはＤＣＳ１８００ネットワークまたはＵＭＴＳネットワークの中から取得されることができるネットワークである
ことを特徴とする請求項１記載のデバイス。
【請求項１０】
内部ネットワークは、搬送波電流ネットワークまたはツイストペアネットワークまたは光ファイバネットワークまたは無線ネットワークである
ことを特徴とする請求項１記載のデバイス。
【請求項１１】
内部ネットワークへのアクセスのためのプロトコルは、ＥＨＳタイプまたはＥＩＢｕｓタイプまたはＰＬＡＮタイプまたはＩＴＤタイプのものである
ことを特徴とする請求項１記載のデバイス。
【発明の詳細な説明】
【０００１】
【発明の属する技術分野】
本発明は、外部ネットワークの加入者端末装置と内部ネットワークとの間における通信のためのインターフェースおよびスイッチングデバイスに関する。
【０００２】
【従来の技術および発明が解決しようとする課題】
遠距離通信の発展において、端末装置に関して利用可能な装備および機能の増加は、遠距離通信ネットワークへのアクセスの可能性における増大に対する要求へと通じる。このことは、これらの装置の機能をより複雑にし、扱いにくくする。
【０００３】
数年間の間において、装備における発展は、データ交換のサポートをネットワークを介して遠距離にて管理または実行することを可能にし、多様なアプリケーションが実行されることを可能とした。
【０００４】
そのような多様なアプリケーションの大きな欠点は、装置内の統一の欠乏と該装置の全体的な管理の不在という事実とによって繰り返される機能不全という増大したリスクである。
【０００５】
故に、そのような潜在的な増加を制御できる必要があり、それによって、遠距離通信ネットワークの最良の能力を保つ必要がある。
【０００６】
本発明の目的は、これらの困難な問題を解決することである。
先行技術の文献（欧州特許公開第０６３９０１９号公報）は、内部データバスに対する電話インターフェース回路を説明する。このインターフェース回路は、電話線を介して内部キッチンを完全に管理するために、データバスに接続された電気デバイスを伴う両方向の通信を可能にする。該回路は、メインコントローラと信号検出器といくつかの外部メモリとＦＳＫモデムとを具備する。該信号検出器は、ユーザーメッセージメモリを有する電話音声発生器／検出器および音声信号記録器／再生器と接続される。前記外部メモリは、コントローラによって送信された応答データを、復号化方法を使用して固定化し続ける。前記ＦＳＫモデムは、前記データバスをインターフェース回路に結合するためのものである。
【０００７】
【課題を解決するための手段】
本発明は、外部ネットワークの加入者端末装置と内部ネットワークとの間における通信のためのインターフェースおよびスイッチングデバイスであって、いくつかの物理的エンティティが、内部ネットワークに接続され、前記デバイスは、
−  第１インターフェースモジュールと、
−  第２インターフェースモジュールと、
−  処理モジュールと、
−  いくつかの検出モジュールと、
−  モジュールと、
−  入力−出力バッファ回路と
を具備し、前記第１インターフェースモジュールは、デジタルデータまたはアナログ信号の送信および受信のためのものであり、前記第１インターフェースモジュールは、前記端末装置に接続され、前記第２インターフェースモジュールは、デジタルデータまたはアナログ信号の送信および受信のためのものであり、前記第２インターフェースモジュールは、内部ネットワークに接続され、前記処理モジュールは、少なくとも１つのメモリモジュールに接続され、前記処理モジュールは、前記デバイスの全体動作を管理し、その結果、外部ネットワークの利用可能性の状態と内部ネットワークの状態との両方を監視することによって、前記加入者端末装置の主機能を提供し、要求および認証は、前記外部ネットワークおよび前記内部ネットワークを介して、他の物体との間において、交換されることができ、物理的エンティティは、この処理モジュールからの認証によってのみ、
・  外部ネットワークへ直接に、
・  または、この処理モジュールを介して、
接続され、この接続は、この処理モジュールによる優先度の管理の後に発生し、前記検出モジュールは、それぞれ、外部ネットワーク上の前記エンティティの内の１つを通信中にする動作を検出する機能を提供し、
・  第１モジュールは、ラインビジー検出機能を提供し、
・  第２モジュールは、並列ハンドセットオフフック検出の機能を提供し、
・  第３モジュールは、ビジートーン検出の機能を提供し、
・  第４モジュールは、呼待機指示検出の機能を提供し、
これらの検出モジュールは、処理モジュールと通信しかつデータ交換し、前記モジュールは、第２送信−受信インターフェースモジュールに関連する内部ネットワーク上のプロトコルを管理するためのものであり、処理モジュールは、このモジュールと通信するために、入力−出力ポートを介して、データ交換バスに接続され、前記入力−出力バッファ回路は、マン−マシンインターフェースモジュールの接続を可能とするために、処理モジュールに接続されることを特徴とするデバイスに関する。
【０００８】
好ましくは、本発明のデバイスは、モジュールを具備し、前記モジュールは、モデム機能を実現し、前記モジュールは、第１インターフェースモジュールと第４検出モジュールと処理モジュールとに接続され、前記モジュールは、注目すべきことに、到来呼上のＶ２３情報をデコードし、必要ならば、即座にオフフックし、その結果、物理的エンティティの内の１つへの適切な切替を開始することを可能にする。
【０００９】
好ましくは、処理モジュールは、少なくとも１つのプログラムメモリモジュールと少なくとも１つのランダムアクセスモジュールとに接続され、前記モジュールと前記モジュールとは、内部ネットワークに特有の情報および／または外部ネットワークに特有の情報を記憶することを可能にし、情報は、注目すべきことに、外部ネットワークを介して、ダウンロードおよびアップロードされる。
【００１０】
好ましくは、内部ネットワーク上のプロトコルを管理するためのモジュールは、内部ネットワークから発する様々な要求を、所定の優先度に従って管理することを可能にする。
【００１１】
好ましくは、本発明のデバイスは、外部ネットワークから発する到来呼と外側への通信を確立するための要求との間における潜在的衝突を管理するためのソフトウェア手段または物理的手段と、自己動力を有すること、または、遠隔で電力供給されること、または、内部ネットワーク内の他のエンティティによって電力を供給されることを可能にする手段と、取り付けられたまたは取り外されたマン−マシンインターフェースを介して、構成されかつ監視されることを可能にする手段とを具備する。
【００１２】
外部ネットワークは、交換電話網（ＳＴＮ）で有り得る。この場合、該交換電話網は、区別された着信音のサービスを提供できる。該着信音は、特定の“タイプ”フィールドを伴うコールフェイズにおけるＶ２３メッセージの提示であり、遠隔ホームオートマチックコール（タイプ０ｘ８８）、発呼者のナンバーの提示（タイプ０ｘ８０）、個人（または、呼出エンティティ）の氏名（または、識別子）の提示（０ｘ８０）などである。また、該交換電話網は、本発明のスイッチング機能が基づく着目すべき到達時の直接選択の他のサービスを提供できる。
【００１３】
外部ネットワークは、また、総合デジタル通信網（ＩＳＤＮ）またはＡＴＭ（非同期送信モード）ネットワークまたはｘＤＳＬ（デジタル加入者ループ）ネットワークまたはＧＳＭネットワークまたはＤＥＣＴネットワークまたはＤＣＳ１８００ネットワークまたはＵＭＴＳ（ユニバーサル移動遠距離通信システム）ネットワークの中から取得されることができる。
【００１４】
内部ネットワークは、搬送波電流ネットワークまたはツイストペアネットワークまたは光ファイバネットワークまたは無線ネットワーク（ＣＴ０，ＣＴ２，ＤＥＣＴ，ＧＳＭ，ＤＣＳ１８００，ＰＨＳ，ＵＭＴＳ，ＵＨＦ等）である。
【００１５】
内部ネットワークへのアクセスのためのプロトコルは、ＥＨＳ（ＥＳＰＲＩＴホームシステム）タイプまたはＥＩＢｕｓタイプまたはＰＬＡＮタイプまたはＩＴＤ（ホーム−オートメーションテレコムインターフェース（クラブPerinumeris）)タイプのものである。
【００１６】
【発明の実施の形態】
図１，２に図解されるように、外部ネットワークの加入者端末装置１１と内部ネットワーク１２との間におけるインターフェース機能を実現するための本発明による通信デバイス１０は、一方では、外部ネットワークへの接続のためのインターフェースを具備し、他方では、内部ネットワークへの接続のためのインターフェースを具備する。上記外部ネットワークは、交換電話ネットワークで有り得る。
【００１７】
図１は、また、スイッチ１３とマンマシンインターフェースモジュール（ＭＭＩ）１４と様々な器具１５，１６，１７とを示す。器具１５，１６，１７は、加入者端末装置１１と内部ネットワークへのアクセスを与えるソケット（１８，１９，２０）との間におかれている。これらの器具は、例えば、ファクシミリ装置１５またはマイクロコンピュータ１６またはプリンタ１７で有り得る。また、２つの電話器２１，２２が、加入者端末装置１１へ接続されている。
【００１８】
図２は、本発明のデバイスの様々な機能を図解する。
【００１９】
本発明のデバイスは、外部ネットワークにおいて、遠距離通信端末装置の順序付けられた管理を可能とする。この目的のために、一方では、この外部ネットワークへ接続され、かつ、他方では、内部ネットワークへのアクセスを可能とするモジュールを利用可能とする。これは、例えば、休止中の電気システムで有り得る。該システム上では、予め定義されたプロトコルに従ってデータを送信または受信することができる。該データは、この同じ内部ネットワークに接続された他の物理的エンティティＥｉ（ここでは、Ｅ１およびＥ２）から来る。このことは、図４に図解されている。これらの他のエンティティは、外部ネットワークを介した遠距離通信を要求することができる。
【００２０】
本発明のデバイスは、外部ネットワークから発せられた到来呼と外側への通信を確立するための要求との間における潜在的な衝突を管理するために、ソフトウェア手段（優先選択や周期的選択やランダム選択など）または物理的手段（スイッチや電力供給停止など）を具備する。
【００２１】
本発明のデバイスは、外部ネットワークのラインの状態と内部ネットワークの状態との両方を監視することによって、主機能を実現することを可能にする。これらのネットワークを通して、要求と承認とが、他の物体との間で、交換されることができる。故に、内部ネットワークに接続されたエンティティＥｉは、外部ネットワークへのアクセスを有する。このアクセスは、本発明のデバイスの制御と認証との下にある。該制御と認証とは、様々な優先事項を管理する。アイドルモードでは、外部ネットワーク上の交換を通して、エンティティＥｉが接続断される。このことは、図４に図解される。エンティティの内の１つから先に要求があると、または、エンティティの内の１つに向けられた到来呼が存在すると、本発明のデバイスは、到来通信または出立通信におかれた全ての動作を管理する。如何なるエンティティＥｉも、本発明のデバイスの認証によってのみ、外部ネットワークへ接続される。
【００２２】
本発明のデバイスの一実施形態が、図３に図解される。
【００２３】
第１モジュール３１は、外部ネットワーク側でのデジタルデータまたはアナログ信号（例えば、音声）の受信および送信時において、インターフェースの問題を管理することを可能にする。このモジュール３１は、他の物体の間において、トランスミッション回路とダイオードブリッジとＤＴＭＦ（デュアルトーンマルチ周波数）ダイヤリング回路とオフフックデバイスとを有することができる。このことは当業者によく知られている。
【００２４】
このモジュール３１を通して、（Ｖ２３フレームのような）外部ネットワークまたは（電圧レベルまたは特定周波数のような）様々な検出モジュール３２，３３，３４，３５，３６に対して有用なエレメントから発する情報が、オンフックモードおよびオフフックモードにおいて通過する。
【００２５】
これらの検出モジュールは以下の通りである。
−  モジュール３２は、ラインビジー検出〔ＬＢＤ〕機能を実現する。ここで使用される原理の内の１つは、ライン電圧をアイドル基準電圧と比較することで有り得る。アイドル基準電圧はメモリに記憶されている。
−  モジュール３３は、並列ハンドセットオフフック検出〔ＰＨＯＤ〕機能を実現する。ここで使用される原理の内の１つは、ライン電圧を（メモリに記憶された）基準電圧と比較することで有り得る。ここで、本発明のデバイスは、オンフックモードであり、一方、エンティティＥｉは、現在、通信中であり、故に、オフフックである。
−  モジュール３４は、ビジートーン検出〔ＢＴＤ〕機能を実現する。該機能の一実施形態は、本発明のデバイスでは、オフフックモードにおいて４４０Ｈｚの周波数を検出ためのフィルターであってもよい。
−  モジュール３５は、呼待機指示検出〔ＣＷＩＤ〕機能を実現する。該機能の一実施形態は、本発明のデバイスでは、オフフックモードにおいて４４０Ｈｚの不変周波数を検出ためのフィルターであってもよい。一方、エンティティは、通信中であり、故に、オフフックである。
−  モジュール３６は、Ｖ２３モデム機能を実現する。故に、呼待機の指示の後、Ｖ２３メッセージの受信時に、モジュール３１によってまたはモジュール３５を介して直接動作できる。このモジュール３６は、注目すべきことに、到来呼（０ｘ８０や０ｘ８２や０ｘ８８等のように、ＳＴＮ上の発呼者のナンバーの提示，特定メッセージのタイプ）が存在すると、Ｖ２３情報をデコードすることを可能にする。ここでは（例えば、発呼者のナンバーが、可能ナンバーのリスト内に提示されているとき）即座のオフフック（即ち、ＳＴＮ上の第１着信音の前）（故に、物理的なエンティティ１５，１６，１７の内の１つへの適切な切替）に適用可能である。“切替”手段は、ここでは、関連するエンティティへ“アドレッシング、そして、通信接続”を行い、または、関連するエンティティへ“単純なアドレッシング”を行い、かつ、外部ネットワークへ直接接続することを要求する。
【００２６】
これら全てのモジュール３１〜３６は、処理モジュール３７と通信しかつデータ交換する。処理モジュール３７は、マイクロコントローラの機能を実現し、かつ、その結果、システムの全体機能を管理する。それによって、前記加入者端末装置１１の主機能を提供する。これは、外部ネットワークの利用可能性の状態と内部ネットワークの状態とを監視することによって行われる。これらのネットワークを通して、要求と承認とが、他の物体の間において、交換されることができる。物理エンティティ１５，１６，１７は、この処理モジュール３７の認証によってのみ、以下の方法で、接続される。
・  外部ネットワークへの直接接続（確立された通信の“並列”監視，内部ネットワークを介するコマンドによってのみ可能な割込）
・  または、この処理モジュール３７を介した接続（確立された通信の“逐次”監視，バス４３上のデータ交換の破壊によって、または、内部ネットワークを介するコマンドによって可能な割込）
このことは、この処理モジュールによる優先度の管理の後に発生する。
【００２７】
このモジュール３７は、モジュール４０を有する。モジュール４０は、本デバイスのプログラムメモリ（ＲＯＭ）を示す。
【００２８】
モジュール３７、また、モジュール４１を有する。モジュール４１は、衝突またはスタックを管理するために必要なランダムアクセスメモリ（ＲＡＭ）またはバッファである。
【００２９】
故に、処理モジュール３７は、少なくとも１つのプログラムメモリモジュール４０と少なくとも１つのランダムアクセスメモリモジュール４１とに接続されている。このことは、内部ネットワークに特有の情報および／または外部ネットワークに特有の情報を記憶することを可能とする。注目すべきことに、該情報は、外部ネットワークを介して、ダウンロードおよびアップロードされることができる。
【００３０】
モジュール３７は、モジュール３９と通信するために、入力／出力ポートを介して、データ交換バス４３へ接続されている。モジュール３９は、内部ネットワーク上のプロトコルを管理するためのエンティティを示す。該エンティティは、また、適切な周辺回路を設けられたマイクロコントローラで有り得る。このモジュール３９は、デジタルデータまたはアナログデータ（例えば、音声）に対する送信／受信インターフェース３８に関連する。該送信／受信インターフェース３８は、内部ネットワーク１２に接続されている。
【００３１】
内部ネットワーク上のプロトコルを管理するためのモジュール３９は、特定の優先度に従って内部ネットワークから発する様々な要求を管理することを可能にする（プロトコルはレベル３（ＯＳＩ層）を有しなくてはならない）。その結果、いくつかの物理的エンティティ（１つまたはおなじセッション中のＥｉ）１５，１６，１７を管理することを可能とする。
【００３２】
モジュール３８，３９からなるユニットは、着脱可能であり、故に、プロトコルの開発時、または、内部ネットワーク１２のサポート時には、交換可能である。
【００３３】
モジュール４２は、バッテリと変圧器と（外側への）接続とからなる電力供給ユニットを示す。簡単化のために図３には示されていないが、このモジュール４２は、本発明のデバイスを形成する様々なモジュールに接続されている。
【００３４】
処理モジュール３７に接続された入力／出力バッファ回路４４は、マンマシンインターフェースモジュール１４が本発明のデバイス１０へ直接接続されることを可能にする。
【００３５】
このマンマシンインターフェースモジュール１４は、また、内部ネットワークへ接続されることができる。そして、該モジュール１４は、モジュール３９，３８を通して、モジュール３７へ接続される。
【００３６】
ラインビジー検出〔ＬＢＤ〕モジュール３２によって、本発明のデバイスは、エンティティの一部のライン上にオンフックが存在するとき、または、ライン上の他の端末が存在するときを、いつでも知ることができ、故に、ラインが利用可能なときをいつでも知ることができる。このことは、図５に図解されている。
【００３７】
出立呼に対するホームオートメーションエンティティの要求時または明示時において、接続および通信が一旦確立されると、本発明のデバイスは、外部ネットワークを通して、“ハングアップ”する。そして、明白な方法で継続するために、外部ネットワーク上の交換を可能にする。
【００３８】
並列ハンドセットオフフック検出〔ＰＨＯＤ〕に対するモジュール３３によって、本発明のデバイスは、外部ネットワーク情報に接続された“電話”端末４６がオフフックしたときを、いつでも知ることができる。故に、外部ネットワーク上で現在通信中のエンティティが即座にオフフックすることを、内部ネットワーク１２を介して、要求できる。このことは、図７に図解される。
【００３９】
ビジートーン検出〔ＢＴＤ〕モジュール３４によって、出立呼を試みる間、本発明のデバイスは、オンフックすることと、新たな試み行う必要があるか否かを知るためのエンティティとの情報の交換と、新たな試みとの時間遅延を管理することの可能性とを、“インテリジェントに”管理することができる。このことは、図５に図解される。
【００４０】
呼待機指示信号（４４０Ｈｚ）を検出“ＣＷＩＤ”するためのモジュール３５によって、本発明のデバイスは、到来呼待機が存在するか否かを、いつでも注目できる。（電話端末またはオフフックモードにおける電話端末またはエンティティであって、）呼待機指示信号に結合されたオフフックモードにおけるデータの可能な送信は、（オフフックであり、かつ、ライン上を“調査”している）デバイスが到来呼上の情報（種類や識別子など）を取得することを可能にする。該取得は、該デバイスのＶ２３受信モデムによって行われる。このことは、図６に図解される。
【００４１】
好ましい実施形態において、本発明のデバイスは、以下の特徴を有する。
−  内部機能ＢＴＤ，ＬＢＤ，ＣＷＩＤ，ＰＨＯＤ
−  外部ネットワークへのアクセスのためのサブモジュール、例えば、現行規格を含むＳＴＮインターフェース
−  内部ネットワークへのアクセスのためのサブモジュール（例えば、ＥＨＳプロトコルを伴うＣＰＬ）
−  内部ネットワークから発するデータを処理する機能（適切なプロトコル）
−  （“ラインオンフック”モードまたは“ラインオフフック”モードにおける）到来呼の処理の機能：ＳＴＮネットワークから発するＶ２３情報の管理，内部ネットワーク上で使用されるプロトコルにおけるパケットの可能性，オフフック
−  出立呼の処理の機能：オフフック，ダイヤリング
−  ＳＴＮネットワークへの呼の開始に対して必要な情報の可能な記憶の機能
−  内部ネットワークに接続されたエンティティの直接的または間接的なアドレッシングに対して必要な情報の可能な記憶の機能
【００４２】
本発明のデバイスは、自己動力を有することができ（バッテリ，太陽電池，光センサなど）、または、（外部ネットワークを介して）遠隔で電力供給されることができ、または、内部ネットワーク内の他のエンティティを介して電力を供給されることができる。加えて、本発明のデバイスは、マンマシンインターフェースを介して、構成されかつ監視されることができる。該マンマシンインターフェースは、（図１に図解されるように）取り付けられ、または、（内部ネットワーク１２に接続されて）（遠隔構成，ダウンローディングして）外される。
【００４３】
用語解説
ＢＴＤ    ：ビジートーン検出
ＣＭ      ：通信モジュール
ＣＰＬ    ：電力線上の搬送波電流
ＣＷＩＤ  ：呼待機指示信号検出
ＤＥＣＴ  ：デジタル欧州コードレス電話
ＤＬＭＳ  ：分配線メッセージ仕様
ＤＴＭＦ  ：デュアルトーンマルチ周波数
ＥＨＳ    ：欧州ホームシステム
ＥＩＢｕｓ：ＣＥＮ  ＴＣ  １０５  プロトコル
ＧＳＭ    ：移動通信のためのグローバルシステム
ＩＳＤＮ  ：総合デジタル通信網
ＬＢＤ    ：ラインビジー検出
ＭＭＩ    ：マン／マシンインターフェース
ＰＨＯＤ  ：並列ハンドセットオフフック検出
ＰＬＡＮ  ：電力線自動ネットワーク
ＲＡＭ    ：ランダムアクセスメモリ
ＲＯＭ    ：リードオンリメモリ
ＳＴＩ    ：加入者端末装置
ＳＴＮ    ：交換電話網
Ｖ２３    ：勧告Ｖ２３  ＣＣＩＴＴ  ブルーブック
位相一致変調による送信
【図面の簡単な説明】
【図１】  本発明のデバイスを図解する図面である。
【図２】  本発明のデバイスを図解する図面である。
【図３】  本発明のデバイスを図解する図面である。
【図４】  本発明のデバイスの機能を図解する図面である。
【図５】  本発明のデバイスの機能を図解する図面である。
【図６】  本発明のデバイスの機能を図解する図面である。
【図７】  本発明のデバイスの機能を図解する図面である。
【符号の説明】
３１  第１モジュール
３２，３３，３４，３５，３６  検出モジュール
３７  処理モジュール
３８  送信／受信インターフェース
３９  プロトコルを管理するモジュール
４４  入力／出力バッファ回路
【図１】
0003999461.tif 000002
【図２】
0003999461.tif 000003
【図３】
0003999461.tif 000004
【図４】
0003999461.tif 000005
【図５】
0003999461.tif 000006
【図６】
0003999461.tif 000007
【図７】
0003999461.tif 000008